(57)【要約】【課題】特定の地震レベルに応じた振動実験結果を直に表示すると共に、地震の振動レベルに応じた家具類の状況をより直感的にユーザに示すことができる地震時の室内安全性予測システムを得る。【解決手段】コンピュータ本体部２に、安全対策情報読込部１３と試験データ読込部１４とシミュレーション部１６と地震時建物内状況表示部１７と写真表示部１８と家具類付き平面図情報作成部２２等を備えて、シミュレーション部１６による家具類の振動実験による結果と被害状況を色別で表した地震時建物内状況図Ｈｈｉを地震時建物内状況表示部１７が画面３に表示し、写真表示部１８がこのときの家具類の状況を撮影した写真を該当の部屋の近傍に表示する。【選択図】図１
2011028395.tif 000002
【特許請求の範囲】
【請求項１】
家具類の平面形状を書き込んだ建物内平面図に対して、所定の地震レベルで揺らした振動実験結果の、前記家具類の揺れ、滑り、転倒による危険エリア及びその危険の度合いを、前記建物内平面図上に表示する一方、前記家具類の状況写真を表示する地震時の室内安全性予測システムであって、
前記地震レベル毎に前記家具類を揺らしたときの写真を記憶した、及び建物内平面図に前記家具類の平面形状を書き込んだ家具類付き建物内平面図を記憶した記憶手段と、
入力された地震レベルを読み込み、この地震レベルで前記家具類付き建物内平面図の家具類を揺らしたときの前記危険エリア及び危険度を算出するシミュレーション部と、
前記危険エリアを前記危険度に応じた色を前記家具類付き建物内平面図の該当のエリアに割りあて、これを家具類付き危険エリア色別建物内平面図として画面に表示する地震時建物内状況表示部と、
前記地震レベルで家具類を揺らしたときの、該当の家具類の状況写真を読み込んで、これを前記家具類付き危険エリア色別建物内平面図に表示する写真表示部と
を有することを特徴とする地震時の室内安全性予測システム。
【請求項２】
前記家具類の写真は、ユーザコードと宅番と家具類コード並びに地震レベルで管理されており、
前記シミュレーション部は、
前記家具類付き危険エリア色別建物内平面図を建物内平面図番号と部屋番号と家具類コードとユーザコードとシミュレーション時の地震レベルと宅番とで管理し、
前記写真表示部は、前記家具類付き危険エリア色別建物内平面図の部屋番号と家具類コードと地震レベルに対応する写真を抽出して前記画面に表示する手段と
を有することを特徴とする請求項１記載の地震時の室内安全性予測システム。
【請求項３】
写真重ね表示部を備え、
該写真重ね表示部は、
前記写真表示部が前記家具類の写真を家具類付き危険エリア色別建物内平面図の近傍に表示したとき、該家具類付類付き危険エリア色別建物内平面図に対応する、地震レベル別の前記家具類の写真を前記写真表示部が表示した家具類の写真を最上位にして重ね表示することを特徴とする請求項１又は２記載の地震時の室内安全性予測システム。
【発明の詳細な説明】
【技術分野】
【０００１】
本発明は、所定の地震レベルで建物が揺れたときの部屋の家具類による転倒、飛び出し等の危険エリア及び危険度を視覚的に見せる地震時の室内安全性予測システムに関する。
【背景技術】
【０００２】
近年は、住宅内に配置した家具類、家電製品の地震時の転倒について、その地震時の振動をシミュレーションして危険度の予測を行う方法やシステムが開発されている。
【０００３】
例えば、特許文献１は、地震時の建物の揺れによる危険度を演算する技術であって、利用者が望む建物の間取りの設計及び家具類の配置の検討や避難経路の提示をおこなう。
【０００４】
すなわち、特許文献１の段落０１０３に記載のように、利用者は部屋の間取り情報、家具類のレイアウト情報、居住者の情報、地震に関する情報等から、建物の室内における安全度や危険度についての地震発生のシミュレーションを行う。そして、地震に関する危険対策を確保した安全かつ好みの家具類のレイアウトを提供する支援システムである。
【０００５】
また、特許文献２は、視覚的、直感的にわかりやすい地震時のリスクの判定方法に関する技術である。
【０００６】
すなわち、特許文献２は、対象物（例えば家具類）の滑り発生を判定するための判定チャートの判定点の位置に基づいて地震時に対象物がすべるかどうかを判定する。
【先行技術文献】
【特許文献】
【０００７】
【特許文献１】特開２００５−２１５９９８号公報
【特許文献２】特開２００５−８４７２６号公報
【発明の概要】
【発明が解決しようとする課題】
【０００８】
特許文献１は、家具類の寸法を部屋の図面にレイアウトを行い、このレイアウト図に基づいて地震の揺れによる危険度を算出する地震シミュレーションであり、家具類の重量、耐震構造の有無等による推定を行って、その結果を知らせている。
【０００９】
しかしながら、揺れや倒壊等は地震レベルによって相違する。ところが、特許文献１は、地震レベル（震度）に応じたシミュレーションを行うための構成要件については記載がないので、地震レベルに応じたシミュレーションを行うには、再度同様な項目を入れて演算しないとならないので、時間と工数とがかかる。
【００１０】
このため、ユーザに対して地震レベルが異なると危険な個所があることを知らせるには時間がかかるので、ユーザ側は結果を得るまで待っていないといけない。
【００１１】
また、地震レベルに応じたシミュレーションを行うものではないので、正確ではない。
【００１２】
さらに、特許文献１は、単に部屋のレイアウト図に地震による危険エリアを知らせるものであるから、ユーザにとっては家具類の揺れ、倒壊等の危険度の度合いが直感的に分り難い。
【００１３】
このため、家具類の倒壊等を防ぐための追加工事の受注につながらない場合が多かった。
【００１４】
また、特許文献２は、対象物（例えば家具類）の滑り発生を判定するための判定チャートの、判定点の位置に基づいて地震時に対象物が滑るかどうかを判定するものであるので、視覚的、直感的にわかりにくい。
【００１５】
また、特許文献２は、揺れや倒壊等は地震レベルに応じたシミュレーションを行うものではないので、地震レベルに応じたシミュレーションを行うには、再度同様な項目を入れて演算しないとならないので、時間と工数とがかかる。
【００１６】
このため、ユーザに対して地震レベルが異なると危険な個所があることを知らせるには時間がかかるので、ユーザ側は結果を得るまで待っていないといけない。
【００１７】
本発明は以上の課題を解決するためになされたもので、地震レベルに応じた振動実験結果を直に表示すると共に、地震の振動レベルに応じた家具類の状況をより直感的にユーザに示すことができる地震時の室内安全性予測システムを得ることを目的とする。
【課題を解決するための手段】
【００１８】
本発明の地震時の室内安全性予測システムは、家具類の平面形状を書き込んだ建物内平面図に対して、所定の地震レベルで揺らした振動実験結果の、前記家具類の揺れ、滑り、転倒による危険エリア及びその危険の度合いを、前記建物内平面図上に表示する一方、前記家具類の状況写真を表示する地震時の室内安全性予測システムである。
【００１９】
前記地震レベル毎に前記家具類を揺らしたときの写真を記憶した、及び建物内平面図に前記家具類の平面形状を書き込んだ家具類付き建物内平面図を記憶した記憶手段と、
入力された地震レベルを読み込み、この地震レベルで前記家具類付き建物内平面図の家具類を揺らしたときの前記危険エリア及び危険度を算出するシミュレーション部と、
前記危険エリアを前記危険度に応じた色を前記家具類付き建物内平面図の該当のエリアに割りあて、これを家具類付き危険エリア色別建物内平面図として画面に表示する地震時建物内状況表示部と、
前記地震レベルで家具類を揺らしたときの、該当の家具類の状況写真を読み込んで、これを前記家具類付き危険エリア色別建物内平面図に表示する写真表示部と
を備えたことを要旨とする。
【発明の効果】
【００２０】
以上のように本発明によれば、所定の地震レベルで建物を揺らしたときの、家具類による各部屋の危険エリア及び危険度を色別で分ると共に、この地震レベルでの家具類の状況の写真を同時に表示するので、どの程度危険か家具類等がどのようになるかを一目で把握できる。このため、安全対策の必要性をユーザが直に判断できる。
【図面の簡単な説明】
【００２１】
【図１】実施の形態１の地震時の室内安全性予測システムである。
【図２】家具類付き室内平面図情報Ｕｉ及びシミュレーション結果情報Ｃｉの説明図である。
【図３】家具類付き地震時写真情報Ｅｉの説明図である。
【図４】実施の形態１の地震時の室内安全性予測システムの動作を説明するフローチャートである。
【図５】地震レベルによる家具類の振動実験の説明図である。
【図６】家具類の挙動分類の説明図である。
【図７】家具類の挙動分類判断基準の説明図である。
【図８】室内安全性レベル評価基準の説明図である。
【図９】具体的な地震レベルと家具類の室内安全性レベルとを対応させた説明図である。
【図１０】具体的な地震レベルと家具類の室内安全性レベルとを対応させた説明図である。
【図１１】具体的な地震レベルと家具類の室内安全性レベルとを対応させた説明図である。
【図１２】具体的な家具類の挙動と室内安全性レベルの分類とを対応させた説明図である。
【図１３】安全対策無しの場合の写真付き地震時建物内状況図の説明図である。
【図１４】安全対策有りの場合の写真付き地震時建物内状況図の説明図である。
【図１５】家具類の安全対策の具体例を説明する説明図である。
【図１６】実施の形態２の地震時の室内安全性予測システムの概略構成図である。
【図１７】重ね写真の表示を説明する説明図である。
【図１８】重ね写真の表示を説明する説明図である。
【図１９】本実施の形態１、２の対話利用を説明する説明図である。
【発明を実施するための形態】
【００２２】
本実施の形態は、地震レベルに応じた室内安全性を予測する技術として、家具類の振動実験による結果と被害状況を、写真と危険度を色別した建物内平面図（本実施の形態では地震時建物内状況図Ｈｈｉという）とで示すことによって視覚的、直感的に分りやすい地震時の室内安全性予測システムである。
【００２３】
また、本実施の形態では住宅、美術館、博物館、病院、会社等における室内の備品等に対しての地震時の室内安全性予測システムとして説明する。また、対象品は家具類を一例で説明する。
【００２４】
＜実施の形態１＞
図１は実施の形態１の地震時の室内安全性予測システムの概略構成図である。地震時の室内安全性予測および評価システムは図１に示すように、コンピュータ本体部２、画面３（表示器）、キーボード４、マウス５等からなる。
【００２５】
そして、前述のコンピュータ本体部２は、図１に示すように、家具類付き室内平面図情報Ｕｉを記憶したデータベース１０と、地震レベルに応じた家具類の揺れ、滑り、転倒状況の写真ｅｉを含む家具類地震時写真情報Ｅｉを記憶したデータベース１１と、入力された安全対策情報ＡＪｉ（ユーザコード、宅番、安全対策用の器具・・・）を読み込む安全対策情報読込部１３と、入力された試験データＪｉ（ユーザコード、宅番、地震レベル・・）を読み込む試験データ読込部１４と、この試験データＪｉを記憶するメモリ１５と、試験データＪｉと家具類付き室内平面図情報Ｕｉとを読み込み、地震レベルＧｉに応じた揺れを発生させたときのシミュレーション結果情報Ｃｉをデータベース１２に記憶するシミュレーション部１６と、地震レベルＧｉに応じたシミュレーション結果情報Ｃｉを危険度に応じた色を付加して（地震時建物内状況図Ｈｈｉ）画面３に表示させる地震時建物内状況図表示部１７と、データベース１１に記憶されているユーザの家具類を地震レベルＧｉで揺らしたときの家具類地震時写真情報Ｅｉを読み込み、この写真ｅｉを地震時建物内状況図Ｈｈｉに重ね表示する写真表示部１８と、データベース１９の建物内平面図ｈｈｉに家具類の平面形状を割り付けた家具類付き室内平面図情報Ｕｉを作成する家具類付き室内平面図作成部２２等を備えている。
【００２６】
前述の家具類付き室内平面図情報Ｕｉは、図２（ａ）に示すように、ユーザコードと宅番と氏名と建物内平面図ｈｈｉとその番号Ｈｉと部屋番号ｈｉとメーカ名と家具類分類名と家具類コードと耐震の有無コード等からなる。これらはユーザ毎に記憶されている。また、耐震有りコードがあったときは、耐震の内容が記憶されている。前述の建物内平面図番号Ｈｉと部屋番号ｈｉとメーカ名と家具類分類名と家具類コードと耐震の有無コード・・耐震の有無等を総称して建物内平面図情報ともいう。
【００２７】
シミュレーション結果情報Ｃｉは図２（ｂ）に示すように、ユーザコードと宅番と建物内平面図番号Ｈｉと家具類付き室内平面図情報Ｕｉとからなり、建物内平面図番号Ｈｉには、室内番号ｈｉがリンク付けされている。
【００２８】
そして、この室内番号ｈｉには室内家具類情報Ｍｉ（メーカ名と家具類分類名と家具類コードと耐震の有無コード）がリンク付けされ、家具類情報には結果情報Ｐｉ等がリンク付けされている。この結果情報Ｐｉは、図２（ｂ）に示すように、家具類毎の地震レベルＧｉ毎（レベル１、レベル２、レベル３・・）の結果情報である。この結果情報については詳細に後述する。
【００２９】
また、家具類地震時写真情報Ｅｉは図３に示すように、家具類毎に地震レベルＧｉとそのときの家具類の写真ｅｉとを対応させている。
【００３０】
（各部の説明）
安全対策情報読込部１３は、画面に表示された家具類付き室内平面図情報Ｕｉの部屋の近傍に、入力された安全対策情報ＡＪｉ（家具類名、取付け金具、ユーザコード等）を読み込み、この安全対策情報ＡＪｉを再シミュレーション指示部２０に出力する。
【００３１】
試験データ読込部１４は、入力されたユーザコード、宅番、振動レベル（例えば阪神淡路大地震の５０％、１００％、１５０％・・・）等を試験データＪｉとして読み込み、これをメモリ１５に記憶する。
【００３２】
家具類付き平面図情報作成部２２は、入力されたユーザ情報の宅番からこのユーザの建物内平面図ｈｈｉをデータベース１９から読み込んで画面に表示する。そして、データベース２３から家具類情報を画面に表示し、オペレータがこの家具類情報の番号を入力してこの家具類の平面形状を表示させ、オペレータがこの平面形状を建物内平面図ｈｈｉの部屋に展開（書き込み）し、これらを家具類付き室内平面図情報Ｕｉとしてデータベース１０に記憶する。この家具類付き室内平面図情報Ｕｉの各部屋の家具類には耐震の情報（耐震器具有りなし、強度、器具の寸法等）がリンク付けされている。
【００３３】
シミュレーション部１６は、メモリ１５に記憶された試験データＪｉと、この試験データＪｉに含まれるユーザコード、宅番に該当する家具類付き室内平面図情報Ｕｉを読み込み、試験データＪｉの地震レベルＧｉで家具類を揺らし、このときの各部屋の危険領域と危険度レベルとを求めるシミュレーションを行う。このシミュレーション結果情報Ｃｉをデータベース１２に記憶する（図２ｂ参照）。つまり、試験データＪｉの地震レベルＧｉに応じたシミュレーション結果情報Ｃｉがデータベース１２に記憶される。
【００３４】
図２（ｂ）においては、地震レベルをレベル１、レベル２、レベル３・・・とした場合の結果が建物内平面図番号Ｈｉの室内番号の家具類情報に対応させられている。また、このときの危険エリアも対応させられて記憶されている。
【００３５】
地震時建物内状況図表示部１７は、シミュレーション結果情報Ｃｉの建物内平面図ｈｈｉの部屋番号と危険エリアとを読み込み、この部屋の危険エリアに地震レベルに応じた色を割りあてた地震時建物内状況図Ｈｈｉを画面に表示する。
【００３６】
写真表示部１８は、地震時建物内状況図Ｈｈｉの表示に伴って、この地震時建物内状況図Ｈｈｉのシミュレーション結果情報Ｃｉの家具類情報Ｍｉの家具類番号及びシミュレーション時の地震レベルＧｉを読み込み、データベース１１から該家具類番号のその地震レベルにリンク付けされている写真ｅｉを読み込んで、画面に表示する。
【００３７】
（動作説明）
図４は本実施の形態１の室内安全性予測システムの動作を説明するフローチャートである。本実施の形態１ではデータベース１９には、企画プラン又は注文プランの建物内平面図ｈｈｉ（タイプ１、タイプ２・・）が記憶されている。これらの建物内平面図ｈｈｉには、建物の構造、強度、材料、寸法、幅、材質、耐震構造等が含まれている。
【００３８】
図４に示すように、室内安全性予測システムの家具類付き室内平面図作成部２２は、オペレータ（担当社員）によって入力されたユーザ情報（ユーザコード、宅番、氏名・・）を読み込む（Ｓ１）。
【００３９】
次に、家具類付き室内平面図情報作成部２２は、入力されたユーザ情報にリンク付けされている建物内平面図ｈｈｉを読み出してこれを画面に表示する（Ｓ２）。
【００４０】
次に、入力された家具類コード（メーカコードを含む）に一致する家具類情報Ｍｉをデータベース２３から読み込み、この家具類情報を画面に表示する（Ｓ３）。
【００４１】
次に、この家具類情報Ｍｉが各部屋の希望位置に配置されると、その家具類の平面形状をユーザの建物内平面図ｈｈｉにその部屋に展開（家具類付き室内平面図情報Ｕｉ）して画面に表示する（Ｓ４）。
【００４２】
そして、これでよいとする指示が入力したときは、ユーザの建物内平面図ｈｈｉの各部屋に家具類情報Ｍｉをリンク付けした家具類付き室内平面図情報Ｕｉをデータベース１０に記憶する（Ｓ５）。
【００４３】
次に、試験データ読込部１４が入力されたユーザコード、宅番、地震レベル・・（試験データＪｉ）を読み込み、メモリ１５に記憶する（Ｓ６）、（Ｓ７）。
【００４４】
そして、この試験データＪｉとユーザの家具類付き室内平面図情報Ｕｉとをシミュレーション部１６に出力する（Ｓ８）。
【００４５】
シミュレーション部１６は以下の室内安全性レベルを評価する処理を実行する（Ｓ９）。
【００４６】
例えば、家具類付き室内平面図情報Ｕｉに地震レベルＧｉを与えて、図５に示すように、家具類が（ａ）安定、（ｂ）ロッキング、（ｃ）移動、転倒防止器具の損傷、（ｄ）転倒のいずれになるかを実験する（Ｓ９ａ）。
【００４７】
つまり、（ａ）安定、（ｂ）ロッキング、（ｃ）移動、転倒防止器具の損傷、（ｄ）転倒の挙動分類判断基準表を備え（Ｓ９ｂ）、実験の結果を挙動分類判断基準表に対応させて記憶することで室内安全性レベルの決定をする（Ｓ９ｃ）。そして、家具類付き室内平面図の各部屋において危険領域を決定する処理を行う（Ｓ９ｄ）。
【００４８】
前述の挙動分類は、各加振時毎の最大転倒変位と最大移動変位によって、図７に示すように分類する。
【００４９】
図７においては、挙動分類は、
（１）が「安定」で判断基準は、「ロッキング無し／ロッキング微小（転倒限界振幅の１０％以下）、移動無し／移動微小（３０ｍｍ以下）」となっている。
【００５０】
（２）が「やや不安定」で判断基準は、「ロッキン小（転倒限界振幅の１０％〜３０％）／壁面との軽い衝突」、移動小（３０ｍｍ〜１００ｍｍ）」となっている。
【００５１】
（３）が「かなり不安定」で判断基準は、「ロッキン大／壁面との激しい衝突」、移動大（３００ｍｍ〜３００ｍｍ）」となっている。
【００５２】
（４）が「転倒」で判断基準は、「転倒又は破壊」、３００ｍｍを超える大移動（床面の凹凸によりつまづき転倒の可能性がある）」となっている。
【００５３】
そして、室内安全性レベル評価基準は、図８に示すように、地震時の家具類の挙動に対応し、室内安全性をＡＢＣＤの４段階に分類する。
【００５４】
図９は地震レベルに応じて家具類（台所家具類含む）を挙動分類に分類した具体例の説明図である。
【００５５】
図９、図１０の上段には過去に発生した地震名、地震レベル、震度等を対応させた入力地振動情報Ｇａｉを記載し、下段にはあるメーカの家具類がその地震によってどうなるかを示した情報Ｇｂｉを記載している。
【００５６】
さらに、図１１には過去の地震時の地震（振動レベルともいう）毎の各メーカの家具類の安全性レベルをＡ、Ｂ、Ｃ、Ｄの４段階で記載している。
【００５７】
また、図１２には、安全性レベルの評価の具体例であり、各家具類毎荷その評価基準を記載している。
【００５８】
このような結果を用いて、ステップＳ９ｄにおいて、家具類付き室内建物平面図の各部屋において危険領域を決定する処理を行い、図１に示す地震時建物内状況図表示部１７が家具類付き室内建物平面図に家具類ごとの室内安全レベルと危険領域とを色別表示する（Ｓ１０）。
【００５９】
安全対策を行っていない場合の危険領域の色別表示を図１３に示す（阪神淡路大地震の地震レベルの５０％）。但し、写真も示した図で説明する。
【００６０】
図１３において、ｋａｉ（ｉ＝１，２，３・・・・）は、落下物に対して注意を要するレベルの領域であり、例えば色は黄色で色別表示されている領域である。
【００６１】
図１３においては、黄色の黄色の領域は、台所に黄色の領域（ｋａ１）、洗面台の領域（ｋａ２）、２階の寝室等に黄色の領域（ｋａ３）がある。
【００６２】
また、図１３のｋｂｉ（ｉ＝１，２，３・・・・）は、最小限の安全性を確保したいレベルの領域であり、例えば色は青色で色別表示される領域である。
【００６３】
図１３においては、青色の黄色の領域は、１階の和室に青色の領域（ｋｂ１）があり、玄関に青色の領域（ｋｂ２）があり、２階の寝室等に青色の領域（ｋｂ３、ｋｂ５、ｋｂ６）があり、また２階の納戸に青色（ｋｂ４）がある。
【００６４】
さらに、図１３のｋｃｉ（ｉ＝１，２，３・・・・）は、最大級の危険性があるレベルの領域であり、例えば色はオレンジ色で色別表示される領域である。
【００６５】
図１３においては、２階の寝室にオレンジ色の領域（ｋｃ１、ｋｃ２）がある。
【００６６】
そして、図１の写真表示指示部１８が入力された地震レベルと入力されたユーザ情報とを読み込んで、このユーザ情報に含まれている各部屋の家具類情報から振動レベルで揺らしたときの写真ｅｉ（家具類地震時写真情報Ｅｉに含まれている）と解説とをデータベース１１から読み込んで画面の余白エリアに表示（地震時建物内状況図Ｈｈｉ）する（Ｓ１１、Ｓ１２）。
【００６７】
そして、担当者又はオペレータは表示された写真ｅｉと部屋とを矢印で結ぶ（図１３参照）。
【００６８】
次に、これらの写真及び解説並びに平面図の危険領域の色から担当者とユーザとが安全性の再検討を行う（Ｓ１３）。
【００６９】
再検討は、例えば転倒防止器具の取付け、扉耐震ラッチの取付け、引出し耐震ラッチの取付け、家具類の再配置、作り付け家具類の設置等である。
【００７０】
そして、この読み込んだ転倒防止器具の取付け、扉耐震ラッチの取付け、引出し耐震ラッチの取付け（図１５参照）、家具類の再配置、作り付け家具類の設置の項目等の検討結果を新たな家具類情報として読み込み（Ｓ１４）、ステップＳ３に処理を戻して再度のシミュレーションを行わせる。
【００７１】
図１４は安全対策を施した場合のシミュレーション結果の写真付き建物内平面図の一例の説明図である（阪神淡路大地震の５０％の地震レベル）。
【００７２】
図１４に示すように、１階の洗面室に安全対策を施したことによって、黄色の領域ｋａ２（落下物に対して注意を要するレベル）が青色（ｋｂ１０）の領域（最小限の安全性を確保したい領域）になっている。また、黄色の領域（ｋａ２）の場合は、写真（図１３参照）に示すように、洗面化粧台の天袋が開放、収納物落下で、かつ引き出しが大きく飛び出していたが、安全対策を施したことにより、青色の領域（ｋｂ１０）では、天袋ラッチがしっかり作動している。
【００７３】
また、１階の和室、玄関は図１３では青色の領域（ｋｂ１、ｋｂ２）が存在していたが、安全レベルになっている。
【００７４】
また、図１３に示すようにキッチンは、黄色（ｋａ１）の領域（注意を要するレベル）が全般的に存在していたが安全対策を施したことにより、キッチンが青色の領域（ｋｂ１１）でガスレンジ周りのみが黄色（ｋａ１０）の領域となっている。
【００７５】
さらに、キッチンの写真は図１３のように、天袋扉軽く開放、収納物一部落下、引き出し大きく飛び出してとまる等であるが、図１４に示すように、安全対策を施した場合は、耐震ラッチ軽く作動で、引出し耐震ラッチしっかり作動している。
【００７６】
さらに、図１３では２階の寝室には、オレンジ色（ｋｃ１、ｋｃ２）の領域があったが図１４に示すように安全対策を施したことにより、青色（ｋｂ１２、ｋｂ１３）の領域になっている。
【００７７】
また、図１３に示したように、写真はオレンジ（ｋｃ１）における本棚は転倒していたが、図１４に写真は、転倒防止が施されているので転倒していない。
【００７８】
すなわち、本実施の形態では、家具類付き建物内平面図に対して、特定の地震レベルでシミュレーションしたときの室内の安全レベルを建物内平面図に色別表示すると共に、家具類のそのときの写真を同時に表示している。
【００７９】
従って、ユーザは、一目で現在の家具類の配置、取付け方ではどのような状況になるかを把握できる。
【００８０】
＜実施の形態２＞
図１６は実施の形態２の実施の形態１の地震時の室内安全性予測システムの概略構成図である。
【００８１】
実施の形態２においては、実施の形態１と同様なものについては説明を省略する。図１６に示すように実施の形態２はレベル別写真重ね表示部２４と写真表示部１８ａと地震時建物内状況図表示部１７ａ等を備えて、家具類付き建物内平面図Ｈｈｉと共に地震レベルに応じた写真を重ね表示する。本実施の形態では重ね表示する写真は複数であってもよいが、代表的な３種類程度とする。
【００８２】
地震時建物内状況図表示部１７ａは、写真表示部１８ａ又はレベル別写真重ね表示部２４からユーザコード、宅番、地震レベル及び家具類付き建物内平面図の番号が知らせられると、これらに対応するシミュレーション結果の建物内平面図をデータベース１２から読み込んで画面に表示する。
【００８３】
写真表示部１８ａは、地震時建物内状況図Ｈｈｉの表示に伴って、この地震時建物内状況図Ｈｈｉのシミュレーション結果情報Ｃｉを読み込み、地震レベルに応じた多数のシミュレーション結果情報Ｃｉがデータベース１２に記憶されている場合は、安全対策無しで例えば振動レベルが阪神淡路大地震の５０％程度のレベル（振動レベルＧａｉ）で揺らしたときの家具類情報の写真をトップにして表示する。
【００８４】
また、複数の写真が重ね表示されている場合にトップの写真が選択された場合は、地震時建物内状況図表示部１７ａに対してユーザコード、宅番、地震レベル及び家具類付き建物内平面図の番号を知らせる。
【００８５】
レベル別写真重ね表示部２４は、写真表示指示部１８ａが写真ｅｉをデータベース１１からの建物内平面図に表示させるとき、この写真表示指示部１８ａが表示したレベルの家具類の写真（写真番号、地震レベル）を上にして、この写真にリンク付けされている他のレベルの写真をデータベース１１から読み込んで図１７に示すように重ね表示する。
【００８６】
図１６は、例えば建物内平面図は、安全対策なしで、阪神淡路大地震の５０％の地震レベルのときの危険エリアを色別表示した例であり、トップの写真は、このときのリビングボードの写真であり、２枚目の写真は安全対策無しで阪神淡路大地震の５０％の地震レベル（Ｇａｉ）のときの写真である。さらに、最下層には安全対策有りで阪神淡路大地震の１２０％（振動レベルＧｂｉ）のときの写真である。
【００８７】
これらの写真はこの好ましくは、それぞれの写真が一目でわかりやすいようにずらして表示するのがよい。但し、平面図は、地震レベルで色別表示にする。
【００８８】
このように重ね表示をすると、ユーザは他の写真を見たいと思うことになる。このため全ての写真を見ることになる。つまり、振動レベルに応じて家具類がどのようになるかまた安全対策を施すとどのようになるかを一目で分るので、安全対策を行った方がよいかどうかの判断の促進になる。
【００８９】
そして、例えば１枚目の写真をクリックした場合は、図１８（ａ）に示すように振動レベルＧｉａの１枚目の写真と、振動レベルＧｉａの地震時建物内状況図Ｈｈｉとを表示する。
【００９０】
また、２枚目の写真をクリックした場合は、図１８（ｂ）に示すように、振動レベルＧｂｉの写真と振動レベルＧｂｉの地震時建物内状況図Ｈｈｉとを表示する。
【００９１】
さらに、３枚目の写真をクリックした場合は、図１８（ｃ）に示すように、例えば振動レベルＧｂｉで安全対策を施したときの写真と振動レベルＧｂｉで安全対策を施したときの地震時建物内状況図Ｈｈｉとを表示する。
【００９２】
すなわち、重ね表示された写真ｅｉを選択すると、この写真ｅｉを撮影したときの状況の建物内平面図を得ることができるので、例えば図１９に示すように担当者３０とユーザ３１とが画面３を見ながら対話形式でどのようにすればよいかを検討できる。
【符号の説明】
【００９３】
２  コンピュータ本体部
３  表示器
４  キーボード
１３  安全対策情報読込部
１４  試験データ読込部
１６  シミュレーション部
１７  地震時建物内状況表示部
１８  写真表示部
【図１】
2011028395.tif 000003
【図２】
2011028395.tif 000004
【図３】
2011028395.tif 000005
【図４】
2011028395.tif 000006
【図５】
2011028395.tif 000007
【図６】
2011028395.tif 000008
【図７】
2011028395.tif 000009
【図８】
2011028395.tif 000010
【図９】
2011028395.tif 000011
【図１０】
2011028395.tif 000012
【図１１】
2011028395.tif 000013
【図１２】
2011028395.tif 000014
【図１３】
2011028395.tif 000015
【図１４】
2011028395.tif 000016
【図１５】
2011028395.tif 000017
【図１６】
2011028395.tif 000018
【図１７】
2011028395.tif 000019
【図１８】
2011028395.tif 000020
【図１９】
2011028395.tif 000021